【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
ビデオを復号する方法であって、
第１の復号ピクチャバッファ（ＤＰＢ）出力遅延および第２のＤＰＢ出力遅延を受信すること、
仮想参照デコーダ（ＨＲＤ）がアクセス単位レベルで動作するか、サブピクチャレベルで動作するかを決定すること、および
前記ＨＲＤが前記アクセス単位レベルで動作するという決定に基づいて、ビデオ復号デバイスが、復号されたピクチャに関して、前記第１のＤＰＢ出力遅延およびピクチャクロックチックに基づいて、第１のＤＰＢ出力時間を決定すること、または、
前記ＨＲＤが前記サブピクチャレベルで動作するという決定に基づいて、
前記ピクチャクロックチックおよびチック除数値に基づいて、サブピクチャクロックチックを導出すること、および
前記ビデオ復号デバイスが、前記復号されたピクチャに関して、前記第２のＤＰＢ出力遅延および前記サブピクチャクロックチックに基づいて、第２のＤＰＢ出力時間を決定すること、
を備える、方法。
【請求項２】
前記ＨＲＤが前記アクセス単位レベルで動作するか、または前記サブピクチャレベルで動作するかを示すサブピクチャコード化ピクチャバッファ（ＣＰＢ）フラグを処理することと、
前記第１のＤＰＢ出力時間または前記第２のＤＰＢ出力時間に基づいて、ＤＰＢから前記復号されたピクチャを出力することと、ここにおいて、前記ＨＲＤが前記アクセス単位レベルで動作することを前記サブピクチャＣＰＢフラグが示すことに基づき、前記第１のＤＰＢ出力時間に基づいて、前記復号されたピクチャが出力されるか、または前記ＨＲＤが前記サブピクチャレベルで動作することを前記サブピクチャＣＰＢフラグが示すことに基づき、前記第２のＤＰＢ出力時間に基づいて、前記復号されたピクチャが出力される、
をさらに備える、請求項１に記載の方法。
【請求項３】
前記第２のＤＰＢ出力時間を決定することは、積を取得するために前記サブピクチャクロックチックに対応する値を前記第２のＤＰＢ出力遅延に乗算し、ＣＰＢ除去時間に前記積を加えることを備える、請求項１に記載の方法。
【請求項４】
前記第１のＤＰＢ出力時間を決定することは、積を取得するために前記ピクチャクロックチックに対応する値を前記第１のＤＰＢ出力遅延に乗算し、ＣＰＢ除去時間に前記積を加えることを備える、請求項１に記載の方法。
【請求項５】
ビデオを符号化する方法であって、
アクセス単位に関連付けられたピクチャタイミング補足強化情報（ＳＥＩ）メッセージで、第１の復号ピクチャバッファ（ＤＰＢ）出力遅延を信号伝達することと、前記第１のＤＰＢ出力遅延は、復号されたピクチャがＤＰＢから出力される前に、コード化ピクチャバッファ（ＣＰＢ）からの前記アクセス単位における最後の復号単位の除去の後に待機すべきピクチャクロックチックの数を示す、
ビットストリームにおけるサブピクチャレベルのパラメータの存在を信号伝達することと、
チック除数値を信号伝達することと、
前記サブピクチャレベルのパラメータの存在を信号伝達することに応答して、前記アクセス単位に関連付けられた前記ピクチャタイミングＳＥＩメッセージで、第２のＤＰＢ出力遅延を信号伝達することと、前記第２のＤＰＢ出力遅延は、復号されたピクチャが前記ＤＰＢから出力される前に、前記ＣＰＢからの前記アクセス単位における前記最後の復号単位の除去の後に待機すべきサブピクチャクロックチックの数を示し、サブピクチャクロックチックは、ピクチャクロックチックに基づいて導出される、
を備える、方法。
【請求項６】
第１のＤＰＢ出力時間を決定することと、ここにおいて、前記第１のＤＰＢ出力時間を決定することは、積を取得するために前記ピクチャクロックチックに対応する値を前記第１のＤＰＢ出力遅延に乗算し、ＣＰＢ除去時間に前記積を加えることを備え、
第２のＤＰＢ出力時間を決定することと、ここにおいて、前記第２のＤＰＢ出力時間を決定することは、積を求めるために前記サブピクチャクロックチックに対応する値を前記第２のＤＰＢ出力遅延に乗算し、ＣＰＢ除去時間に前記積を加えることを備える、
をさらに備える、請求項５に記載の方法。
【請求項７】
ビデオデータを復号するように構成された装置であって、
前記ビデオデータを記憶するように構成されたメモリと、
前記メモリと通信しているビデオデコーダと、を備え、前記ビデオデコーダは、
第１の復号ピクチャバッファ（ＤＰＢ）出力遅延および第２のＤＰＢ出力遅延を受信すること、
仮想参照デコーダ（ＨＲＤ）がアクセス単位レベルで動作するか、サブピクチャレベルで動作するかを決定すること、および
前記ＨＲＤが前記アクセス単位レベルで動作するという決定に基づいて、復号されたピクチャに関して、前記第１のＤＰＢ出力遅延およびピクチャクロックチックに基づいて、第１のＤＰＢ出力時間を決定すること、および
前記ＨＲＤが前記サブピクチャレベルで動作するという決定に基づいて、
前記ピクチャクロックチックおよびチック除数値に基づいて、サブピクチャクロックチックを導出すること、および
前記復号されたピクチャに関して、前記第２のＤＰＢ出力遅延および前記サブピクチャクロックチックに基づいて、第２のＤＰＢ出力時間を決定すること、
を行うように構成される、装置。
【請求項８】
前記ビデオデコーダは、
前記ＨＲＤが前記アクセス単位レベルで動作するか、または前記サブピクチャレベルで動作するかを示すサブピクチャコード化ピクチャバッファ（ＣＰＢ）フラグを処理することと、
前記第１のＤＰＢ出力時間または前記第２のＤＰＢ出力時間に基づいて、ＤＰＢから前記復号されたピクチャを出力することと、ここにおいて、前記ＨＲＤが前記アクセス単位レベルで動作することを前記サブピクチャＣＰＢフラグが示すことに基づき、前記第１のＤＰＢ出力時間に基づいて前記復号されたピクチャが出力されるか、または前記ＨＲＤが前記サブピクチャレベルで動作することを前記サブピクチャＣＰＢフラグが示すことに基づき、前記第２のＤＰＢ出力時間に基づいて、前記復号されたピクチャが出力される、
を行うようにさらに構成される、請求項７に記載の装置。
【請求項９】
前記ビデオデコーダは、積を求めるために前記サブピクチャクロックチックに対応する値を前記第２のＤＰＢ出力遅延に乗算し、ＣＰＢ除去時間に前記積を加えることによって前記第２のＤＰＢ出力時間を決定するように構成される、請求項７に記載の装置。
【請求項１０】
前記ビデオデコーダは、積を求めるために前記ピクチャクロックチックに対応する値を前記第１のＤＰＢ出力遅延に乗算し、ＣＰＢ除去時間に前記積を加えることによって前記第１のＤＰＢ出力時間を決定するように構成される、請求項７に記載の装置。
【請求項１１】
ビデオデータを符号化するように構成された装置であって、
前記ビデオデータを記憶するように構成されたメモリと、
前記メモリと通信しているビデオエンコーダと、を備え、前記ビデオエンコーダは、
アクセス単位に関連付けられたピクチャタイミング補足強化情報（ＳＥＩ）メッセージで、第１の復号ピクチャバッファ（ＤＰＢ）出力時間遅延を信号伝達することと、前記第１のＤＰＢ出力遅延は、復号されたピクチャがＤＰＢから出力される前に、コード化ピクチャバッファ（ＣＰＢ）からの前記アクセス単位における最後の復号単位の除去の後に待機すべきピクチャクロックチックの数を示す、
ビットストリームにおけるサブピクチャレベルのパラメータの存在を信号伝達することと、
チック除数値を信号伝達することと、
前記サブピクチャレベルのパラメータの存在を信号伝達することに応答して、前記アクセス単位に関連付けられた前記ピクチャタイミングＳＥＩメッセージで、第２のＤＰＢ出力遅延を信号伝達することと、前記第２のＤＰＢ出力遅延は、前記復号されたピクチャが前記ＤＰＢから出力される前に、前記ＣＰＢからの前記アクセス単位における前記最後の復号単位の除去の後に待機すべきサブピクチャクロックチックの数を示し、サブピクチャクロックチックは、ピクチャクロックチックに基づいて導出される、
ように構成される、装置。
【請求項１２】
前記ビデオエンコーダは、
第１のＤＰＢ出力積を取得するために前記ピクチャクロックチックに対応する値を前記第１のＤＰＢ出力遅延に乗算し、ＣＰＢ除去時間に前記第１のＤＰＢ出力積を加えることによって前記第１のＤＰＢ出力時間を決定することと、
第２のＤＰＢ出力積を求めるために前記サブピクチャクロックチックに対応する値を前記第２のＤＰＢ出力遅延に乗算し、ＣＰＢ除去時間に前記第２のＤＰＢ出力積を加えることよって、前記第２のＤＰＢ出力時間を決定することと、
を行うようにさらに構成される、請求項１１に記載の装置。
【請求項１３】
ビデオデータを復号するように構成された装置であって、
第１の復号ピクチャバッファ（ＤＰＢ）出力遅延および第２のＤＰＢ出力遅延を受信するための手段と、
仮想参照デコーダ（ＨＲＤ）がアクセス単位レベルで動作するか、サブピクチャレベルで動作するかを決定するための指示手段、および
前記指示手段が前記アクセス単位レベルでの前記ＨＲＤの動作を決定するときに動作可能であり、復号されたピクチャに関して、前記第１のＤＰＢ出力遅延およびピクチャクロックチックに基づいて、第１のＤＰＢ出力時間を決定するための手段と、
前記ピクチャクロックチックおよびチック除数値に基づいて、サブピクチャクロックチックを導出するための手段と、
前記指示手段が前記サブピクチャレベルでの前記ＨＲＤの動作を決定するときに動作可能であり、前記復号されたピクチャに関して、前記第２のＤＰＢ出力遅延および前記サブピクチャクロックチックに基づいて、第２のＤＰＢ出力時間を決定するための手段と、
を備える、装置。
【請求項１４】
前記ＨＲＤが前記アクセス単位レベルで動作するか、または前記サブピクチャレベルで動作するかを示すサブピクチャコード化ピクチャバッファ（ＣＰＢ）フラグを処理するための手段と、
前記第１のＤＰＢ出力時間または前記第２のＤＰＢ出力時間に基づいて、ＤＰＢから前記復号されたピクチャを出力するための手段と、ここにおいて、前記ＨＲＤが前記アクセス単位レベルで動作することを示す前記サブピクチャＣＰＢフラグに基づく前記第１のＤＰＢ出力時間に基づいて前記復号されたピクチャが出力されるか、または前記ＨＲＤが前記サブピクチャレベルで動作することを示す前記サブピクチャＣＰＢフラグに基づく前記第２のＤＰＢ出力時間に基づいて、前記復号されたピクチャが出力される、
をさらに備える、請求項１３に記載の装置。
【請求項１５】
前記第２のＤＰＢ出力時間を決定するための手段は、積を求めるために前記サブピクチャクロックチックに対応する値を前記第２のＤＰＢ出力遅延に乗算し、ＣＰＢ除去時間に前記積を加えるための手段を備える、請求項１３に記載の装置。
【請求項１６】
前記第１のＤＰＢ出力時間を決定するための手段は、積を求めるために前記ピクチャクロックチックに対応する値を前記第１のＤＰＢ出力遅延に乗算し、ＣＰＢ除去時間に前記積を加えるための手段を備える、請求項１３に記載の装置。
【請求項１７】
ビデオデータを符号化するように構成された装置であって、
アクセス単位に関連付けられたピクチャタイミング補足強化情報（ＳＥＩ）メッセージで、第１の復号ピクチャバッファ（ＤＰＢ）出力遅延を信号伝達するための手段と、前記第１のＤＰＢ出力遅延は、復号されたピクチャがＤＰＢから出力される前に、コード化ピクチャバッファ（ＣＰＢ）からの前記アクセス単位における最後の復号単位の除去の後に待機すべきピクチャクロックチックの数を示す、
ビットストリームにおけるサブピクチャレベルのパラメータの存在を信号伝達するための手段と、
チック除数値を信号伝達するための手段と、
前記サブピクチャレベルのパラメータの存在を信号伝達することに応答して動作可能であり、前記アクセス単位に関連付けられた前記ピクチャタイミングＳＥＩメッセージで、第２のＤＰＢ出力遅延を信号伝達するための手段と、前記第２のＤＰＢ出力遅延は、前記復号されたピクチャが前記ＤＰＢから出力される前に、前記ＣＰＢからの前記アクセス単位における前記最後の復号単位の除去の後に待機すべきサブピクチャクロックチックの数を示し、サブピクチャクロックチックは、ピクチャクロックチックに基づいて導出される、
を備える、装置。
【請求項１８】
前記第１のＤＰＢ出力時間を決定するための手段は、第１のＤＰＢ出力積を求めるために前記ピクチャクロックチックに対応する値を前記第１のＤＰＢ出力遅延に乗算し、ＣＰＢ除去時間に前記第１のＤＰＢ出力積を加えるための手段を備え、
第２のＤＰＢ出力時間を決定するための手段は、第２のＤＰＢ出力積を求めるために前記サブピクチャクロックチックに対応する値を前記第２のＤＰＢ出力遅延に乗算し、ＣＰＢ除去時間に前記第２のＤＰＢ出力積を加えるための手段を備える、
請求項１７に記載の装置。
【請求項１９】
命令を記憶するコンピュータ可読記憶媒体であって、前記命令は実行されるとき、ビデオデータを復号するように構成されたデバイスの１つまたは複数のプロセッサに、
第１の復号ピクチャバッファ（ＤＰＢ）出力遅延および第２のＤＰＢ出力遅延を受信すること、
仮想参照デコーダ（ＨＲＤ）がアクセス単位レベルで動作するか、サブピクチャレベルで動作するかを決定すること、および
前記ＨＲＤが前記アクセス単位レベルで動作するという決定に基づいて、復号されたピクチャに関して、前記第１のＤＰＢ出力遅延およびピクチャクロックチックに基づいて、第１のＤＰＢ出力時間を決定すること、および
前記ＨＲＤが前記サブピクチャレベルで動作するという決定に基づいて、
前記ピクチャクロックチックおよびチック除数値に基づいて、サブピクチャクロックチックを導出すること、および
前記復号されたピクチャに関して、前記第２のＤＰＢ出力遅延および前記サブピクチャクロックチックに基づいて、第２のＤＰＢ出力時間を決定すること、
を行わせる、コンピュータ可読記憶媒体。
【請求項２０】
前記命令は前記１つまたは複数のプロセッサに、
前記ＨＲＤが前記アクセス単位レベルで動作するか、または前記サブピクチャレベルで動作するかを示すサブピクチャコード化ピクチャバッファ（ＣＰＢ）フラグを処理することと、
前記第１のＤＰＢ出力時間または前記第２のＤＰＢ出力時間に基づいて、ＤＰＢから前記復号されたピクチャを出力することと、ここにおいて、前記ＨＲＤが前記アクセス単位レベルで動作することを示す前記サブピクチャＣＰＢフラグに基づく前記第１のＤＰＢ出力時間に基づいて前記復号されたピクチャが出力されるか、または前記ＨＲＤが前記サブピクチャレベルで動作することを示す前記サブピクチャＣＰＢフラグに基づく前記第２のＤＰＢ出力時間に基づいて、前記復号されたピクチャが出力される、
をさらに行わせる、請求項１９に記載のコンピュータ可読記憶媒体。
【請求項２１】
前記命令は前記１つまたは複数のプロセッサに、積を求めるために前記サブピクチャクロックチックに対応する値を前記第２のＤＰＢ出力遅延に乗算し、ＣＰＢ除去時間に前記積を加えること、をさらに行わせる、請求項１９に記載のコンピュータ可読記憶媒体。
【請求項２２】
前記命令は前記１つまたは複数のプロセッサに、積を求めるために前記ピクチャクロックチックに対応する値を前記第１のＤＰＢ出力遅延に乗算し、ＣＰＢ除去時間に前記積を加えること、をさらに行わせる、請求項１９に記載のコンピュータ可読記憶媒体。
【請求項２３】
命令を記憶するコンピュータ可読記憶媒体であって、前記命令は実行されるとき、ビデオデータを符号化するように構成されたデバイスの１つまたは複数のプロセッサに、
アクセス単位に関連付けられたピクチャタイミング補足強化情報（ＳＥＩ）メッセージで、第１の復号ピクチャバッファ（ＤＰＢ）出力時間遅延を信号伝達することと、前記第１のＤＰＢ出力遅延は、復号されたピクチャがＤＰＢから出力される前に、コード化ピクチャバッファ（ＣＰＢ）からの前記アクセス単位における最後の復号単位の除去の後に待機すべきピクチャクロックチックの数を示す、
ビットストリームにおけるサブピクチャレベルのパラメータの存在を信号伝達することと、
チック除数値を信号伝達することと、
前記サブピクチャレベルのパラメータの存在を信号伝達することに応答して、前記アクセス単位に関連付けられた前記ピクチャタイミングＳＥＩメッセージで、第２のＤＰＢ出力遅延を信号伝達することと、前記第２のＤＰＢ出力遅延は、前記復号されたピクチャが前記ＤＰＢから出力される前に、前記ＣＰＢからの前記アクセス単位における前記最後の復号単位の除去の後、待機すべきサブピクチャクロックチックの数を示し、サブピクチャクロックチックは、ピクチャクロックチックに基づいて導出される、
を行わせる、コンピュータ可読記憶媒体。
【請求項２４】
前記命令は、実行されるとき、前記１つまたは複数のプロセッサに、第１のＤＰＢ出力積を取得するために前記ピクチャクロックチックに対応する値を前記第１のＤＰＢ出力遅延に乗算し、ＣＰＢ除去時間に前記第１のＤＰＢ出力積を加えることによって前記第１のＤＰＢ出力時間を決定することを行わせる命令をさらに含み、
前記命令は、実行されるとき、前記１つまたは複数のプロセッサに、第２のＤＰＢ出力積を求めるために前記サブピクチャクロックチックに対応する値を前記第２のＤＰＢ出力遅延に乗算し、ＣＰＢ除去時間に前記第２のＤＰＢ出力積を加えるによって前記第２のＤＰＢ出力時間を決定することを行わせる命令をさらに含む、
請求項２３に記載のコンピュータ可読記憶媒体。